(57)【特許請求の範囲】
【請求項１】
排出者の排出した排出物を再資源化した再資源物を購入者へ提供するための排出物再資源化管理システムであって、
購入者の端末から、購入者、再資源物の品目、再資源物の量に関するデータを含む購入情報を受信する管理装置と、
排出者が排出した排出物を収容する容器であって、排出物のサイレージ化による飼料又は肥料の生成、又は、過熱水蒸気により排出物を炭化させることによる炭の生成を行うことにより、容器内部で排出物を再資源物に再資源化処理可能であり、固有の識別番号を有するＲＦＩＤタグ，外部からの施錠信号及び開錠信号を受信することにより前記容器の蓋体を容器本体にロック及びアンロックするロック装置，を有する前記容器と、
前記容器のＲＦＩＤタグと通信可能な読取手段，前記容器の排出物の重量を測定するための重量測定手段，前記読取手段で読み取った前記容器の識別番号、前記重量測定機能で測定した重量、排出物の排出者、排出物の品目、計量日時に関するデータを含む排出物情報を前記管理装置へ送信すると共に、前記管理装置から受信した施錠信号を前記容器のロック装置へ送信する通信手段，を有する第１の計量装置と、
前記容器のＲＦＩＤタグと通信可能な読取手段，前記容器内で再資源化処理が終了した後に再資源化された排出物の重量を測定するための重量測定手段，前記読取手段で読み取った前記容器の識別番号、前記重量測定機能で測定した重量、計量日時に関するデータを含む計量情報を前記管理装置へ通信する通信手段，を有する第２の計量装置と、
を備え、
前記管理装置は、前記第１の計量装置から前記排出物情報を受信したときに、この排出物情報を前記購入情報に関連付けすることにより、前記購入者による前記排出物の購入を確定すると共に、前記排出物情報に関連付けた施錠信号を前記第１の計量装置へ送信することにより、前記第１の計量装置を介して、前記容器のロック装置をロック状態にし、
前記管理装置は、前記第２の計量装置から前記計量情報を受信したときに、前記計量情報に含まれる識別番号に基づいて、前記計量情報に対応する前記排出物情報を特定すると共に、前記排出物情報に関連付けた施錠信号に応じた開錠信号を前記第２の計量装置へ送信することにより、前記第２の計量装置を介して、前記容器のロック装置をアンロック状態にする、ことを特徴とする排出物再資源化管理システム。
【請求項２】
前記容器は、排出物を収容する前記容器本体を前記蓋体で閉じるように構成され、
前記蓋体には、前記容器本体を前記蓋体で閉じた状態で、前記容器本体内の排出物を再資源化するための処理機構が設けられていることを特徴とする請求項１に記載の排出物再資源化管理システム。
【請求項３】
前記処理機構は、前記容器本体内の排出物を混合するための混合装置であり、前記混合装置で排出物を混合することにより、排出物を前記容器本体内で再資源化するように構成されており、前記排出物はコーヒー豆粕であることを特徴とする請求項２に記載の排出物再資源化管理システム。
【請求項４】
前記処理機構は、前記容器本体内へ過熱水蒸気を導入するために過熱水蒸気供給装置を接続可能な導入部、及び前記容器本体内から過熱水蒸気を排出するための導出部であり、前記排出物はコーヒー豆粕であることを特徴とする請求項２に記載の排出物再資源化管理システム。
【請求項５】
前記管理装置は、購入が確定された排出物の前記排出物情報のうち、識別番号、排出者に関するデータを含む回収情報を、排出物を排出者から収集して保管加工処理場へ搬送する排出物収集者の使用する端末へ送信することを特徴とする請求項１に記載の排出物再資源化管理システム。
【請求項６】
前記保管加工処理場には、前記容器に設けられたＲＦＩＤタグから識別番号を読み取り、読み取った識別番号を前記管理装置へ送信する読取装置が設けられており、
前記管理装置は、前記容器が前記保管加工処理場に搬入されたときに、識別番号を前記読取装置から受信することを特徴とする請求項１に記載の排出物再資源化管理システム。
【請求項７】
前記管理装置は、識別番号に基づいて、前記排出物情報及び前記購入情報のうち、識別番号、購入者に関するデータを含む搬出情報を、保管加工処理場に配置された保管加工者の使用する端末へ送信することを特徴とする請求項１に記載の排出物再資源化管理システム。
【請求項８】
さらに、前記管理装置に回線を介して接続され、排出物の排出量と再資源物の購入量の需給バランスを判定するために、前記排出物情報と前記購入情報をモニターするモニタリング装置を備え、このモニタリング装置は、排出物の排出量が再資源物の購入量を上回ったと判定したときに、外部へ判定結果を送信することを特徴とする請求項１に記載の排出物再資源化管理システム。
【発明の詳細な説明】
【技術分野】
【０００１】
本発明は、排出物再資源化管理システムに係り、特に排出者が排出した排出物を再資源化して再資源物を生成し、この再資源物を購入者へ提供するための排出物再資源化管理システムに関する。
【背景技術】
【０００２】
本願出願人は、店舗等から排出される排出物（廃棄物）を計量し、計量データを情報センタに収集することで、計量により得られた廃棄物に関する情報を、排出者と廃棄物収集者と地方自治体とが有効に活用できる廃棄物管理システムを提案している（特許文献１参照）。この廃棄物管理システムを用いることで、計画的な廃棄物の減量を図ることができる。
【先行技術文献】
【特許文献】
【０００３】
【特許文献１】特開２００４−１５５５３０号公報
【発明の概要】
【発明が解決しようとする課題】
【０００４】
一方、店舗等から排出される排出物の中には、加工処理を行うことによって、新たに再資源化物（すなわち有価物）として市場に流通させることができるものがある。しかしながら、このような排出物は、現状では単に廃棄物として廃棄物処理法に基づいて廃棄処理されている。また、このような排出物は、排出するのにコストが掛かっていた。
【０００５】
例えば、コーヒー豆粕は、再資源化可能な排出物であり、サイレージ化により飼料や肥料に加工処理することができ、また、過熱水蒸気炭化装置によりコーヒー豆粕燃料（ＢＤＦ）及びコーヒー炭に加工処理することができる。
したがって、有価物である再資源物に加工可能な排出物を、店舗等で排出者が排出した時点で有価物として取り扱うことができれば、廃棄物処理法の適用を受けず、排出に掛かっていたコストを削減することができると共に、資源の有効利用を図ることができる。このため、排出物を有価物として流通させるシステムが必要とされていた。
【０００６】
しかしながら、加工後に有価物になる排出物であっても、店舗等で排出された時点では、他の廃棄物と同様に廃棄物であるので、例外的に有価物として取り扱うことができるようにするためには、排出物は有価物としての種々の制限を受ける。このような制限は、排出物の物の性状、排出の状況、通常の取扱形態、取引価値の有無、占有者の意思等の観点に基づいている。
【０００７】
例えば、排出物の物の性状では、排出物が要求される品質を満足し、飛散、流出等が防止されていること等が必要である。排出の状況では、計画に基づいて排出されたものであること、品質管理されていること等が必要である。通常の取扱形態では、製品としての市場が形成されていること等が必要である。取引価値の有無では、占有者と取引の相手方の間で有償譲渡がされ、経済的に合理性があること等が必要である。占有者の意思では、占有者が社会通念上、合理的に利用、有償譲渡等の意思が認められること等が必要である。
【０００８】
特に、排出物の物の性状と取引価値の有無の制限は、排出物を有価物として流通させるためにクリアしなければならない大きな問題であった。このような制限のため、従来は、排出物を有価物として市場に流通させることができず、単に廃棄物として回収されていた。
【０００９】
例えば、コーヒー豆粕の場合、排出物の物の性状に関しては、コーヒー豆粕の含水率の高さに起因してカビが生え易いという問題があった。このため、店舗から加工処理を経て購入者へ再資源化物として流通するまでの間における品質管理が難しいという問題があった。また、この間のトレーサビリティを確保することが困難であった。
【００１０】
また、コーヒー豆粕の場合、取引価値の有無に関しては、再資源化するために上記流通過程における品質管理等の問題を解決できていないため、コーヒー豆粕を有価物として利用するための市場の形成が難しく、また、購入者が排出者からコーヒー豆粕を購入する手段、経路がないため、取引自体が困難であった。
したがって、これまで、コーヒー豆粕を有価物として回収し、再資源化して市場に流通させることができなかった。
【００１１】
本発明は、このような課題を解決するためになされたものであり、上記制限のうち、特に排出物の物の性状と取引価値の有無の問題を解決して、排出物を有価物として市場に流通させることができる排出物再資源化管理システムを提供することを目的としている。
【課題を解決するための手段】
【００１２】
上記の目的を達成するために、本発明は、排出者の排出した排出物を再資源化した再資源物を購入者へ提供するための排出物再資源化管理システムであって、購入者の端末から、購入者、再資源物の品目、再資源物の量に関するデータを含む購入情報を受信する管理装置と、排出者が排出した排出物を収容する容器であって、排出物のサイレージ化による飼料又は肥料の生成、又は、過熱水蒸気により排出物を炭化させることによる炭の生成を行うことにより、容器内部で排出物を再資源物に再資源化処理可能であり、固有の識別番号を有するＲＦＩＤタグ，外部からの施錠信号及び開錠信号を受信することにより容器の蓋体を容器本体にロック及びアンロックするロック装置，を有する容器と、容器のＲＦＩＤタグと通信可能な読取手段，容器の排出物の重量を測定するための重量測定手段，読取手段で読み取った容器の識別番号、重量測定機能で測定した重量、排出物の排出者、排出物の品目、計量日時に関するデータを含む排出物情報を管理装置へ送信すると共に、管理装置から受信した施錠信号を容器のロック装置へ送信する通信手段，を有する第１の計量装置と、容器のＲＦＩＤタグと通信可能な読取手段，容器内で再資源化処理が終了した後に再資源化された排出物の重量を測定するための重量測定手段，読取手段で読み取った容器の識別番号、重量測定機能で測定した重量、計量日時に関するデータを含む計量情報を管理装置へ通信する通信手段，を有する第２の計量装置と、を備え、管理装置は、第１の計量装置から排出物情報を受信したときに、この排出物情報を購入情報に関連付けすることにより、購入者による排出物の購入を確定すると共に、排出物情報に関連付けた施錠信号を第１の計量装置へ送信することにより、第１の計量装置を介して、容器のロック装置をロック状態にし、管理装置は、第２の計量装置から計量情報を受信したときに、計量情報に含まれる識別番号に基づいて、計量情報に対応する排出物情報を特定すると共に、排出物情報に関連付けた施錠信号に応じた開錠信号を第２の計量装置へ送信することにより、第２の計量装置を介して、容器のロック装置をアンロック状態にする、ことを特徴としている。
【００１３】
このように構成された本発明によれば、例えば店舗において、排出者が排出物を収容した容器を第１の計量装置で計量すると、管理装置からの施錠信号により容器をロック状態にすることができ、内部の排出物を外部へ取り出すことができなくなる。そして、その容器内で再資源化処理により排出物から再資源物が生成された後に、保管加工処理場において、再資源物が収容されているその容器を第２の計量装置で再計量すると、管理装置からの開錠信号により容器をアンロック状態にすることができ、内部の再資源物を外部へ取り出すことができる。
【００１４】
このように、本発明では、排出者が排出物を容器に収容して排出する際に、計量を行うことができると共に、容器をロックすることができ、さらに、容器内部で再資源化処理が終了して再計量されるまでは容器内の排出物を取り出すことができない。また、本発明では、容器を固有の識別番号で特定することができるので、識別番号に基づいて、容器のトレーサビリティ、すなわち内部の排出物のトレーサビリティを確保することができる。このため、排出物が排出者の手を離れた後における排出物の不法投棄を防止することができる。
【００１５】
さらに、本発明では、購入者による排出物の購入（すなわち、再資源化処理後の再資源物の購入）が確定することにより、排出者による排出時において、その排出物を有価物として取り扱うことができる。そして、上述のように、管理装置が、識別番号に基づいて容器を監視することができるので、容器に収容された排出物の品質管理やトレーサビィティ管理を担保することが可能となる。
また、本発明では、購入者は、管理装置を介して、再資源物又は排出物を購入することができるので、市場の形成が容易であり、再資源物又は排出物の流通を確保することができる。
【００１６】
また、本発明において好ましくは、容器は、排出物を収容する容器本体を蓋体で閉じるように構成され、蓋体には、容器本体を蓋体で閉じた状態で、容器本体内の排出物を再資源化するための処理機構が設けられている。
このように構成された本発明によれば、内部に排出物を収容した容器本体を蓋体で閉じた状態で、蓋体に設けられた再資源化処理機構により、内部の排出物を再資源化して再資源物を生成することができる。
【００１７】
具体的には、処理機構は、容器本体内の排出物を混合するための混合装置であり、混合装置で排出物を混合することにより、排出物を容器本体内で再資源化することができ、排出物はコーヒー豆粕である。
また、具体的には、処理機構は、容器本体内へ過熱水蒸気を導入するために過熱水蒸気供給装置を接続可能な導入部、及び容器本体内から過熱水蒸気を排出するための導出部であり、排出物はコーヒー豆粕である。
【００１８】
また、本発明において好ましくは、管理装置は、購入が確定された排出物の排出物情報のうち、識別番号、排出者に関するデータを含む回収情報を、排出物を排出者から収集して保管加工処理場へ搬送する排出物収集者の使用する端末へ送信する。
このように構成された本発明によれば、回収情報を受信した排出物収集者が、その回収情報に基づいて、排出者から排出物を収容した容器を回収し、容器を保管加工処理場へ搬送することができる。
【００１９】
また、本発明において好ましくは、保管加工処理場には、容器に設けられたＲＦＩＤタグから識別番号を読み取り、読み取った識別番号を管理装置へ送信する読取装置が設けられており、管理装置は、容器が保管加工処理場に搬入されたときに、識別番号を読取装置から受信する。
このように構成された本発明によれば、管理装置は、容器が保管加工処理場へ持ち込まれたことを識別番号を受信することにより認識することができ、容器の所在を管理することが可能である。
【００２０】
また、本発明において好ましくは、管理装置は、識別番号に基づいて、排出物情報及び購入情報のうち、識別番号、購入者に関するデータを含む搬出情報を、保管加工処理場に配置された保管加工者の使用する端末へ送信する。
このように構成された本発明によれば、容器内で再資源化処理が終了した後、搬出情報に基づいて、保管加工者から再資源物を購入者へ直接的又は間接的に搬出することができる。
【００２１】
また、本発明において好ましくは、さらに、管理装置に回線を介して接続され、排出物の排出量と再資源物の購入量の需給バランスを判定するために、排出物情報と購入情報をモニターするモニタリング装置を備え、このモニタリング装置は、排出物の排出量が再資源物の購入量を上回ったと判定したときに、外部へ判定結果を送信する。
このように構成された本発明によれば、モニタリング装置によって、排出物と再資源物の需給バランスを監視することができるので、排出物の不法投棄を抑制することが可能となる。
【発明の効果】
【００２２】
本発明の排出物再資源化管理システムによれば、排出物を有価物として市場に流通させることができる。
【図面の簡単な説明】
【００２３】
【図１】本発明の実施形態による排出物再資源化管理システムの全体構成図である。
【図２】本発明の実施形態による計量装置の斜視図である。
【図３】本発明の実施形態による容器の説明図である。
【図４】本発明の実施形態による容器の混合装置の一部の拡大図である。
【図５】本発明の実施形態による再資源処理の説明図である。
【図６】本発明の実施形態による他の容器の説明図である。
【図７】本発明の実施形態による他の容器の蓋体の断面図である。
【発明を実施するための形態】
【００２４】
以下、添付図面を参照して本発明の実施形態について説明する。
本実施形態では、排出者としてのコーヒーチェーン店が、排出物としてのコーヒー豆粕を排出する例を説明する。コーヒーチェーン店には、物流センタから所定の配送便で配送物が車輌により配送され、配送した後の戻り便（帰り便）を利用して、容器に収容された排出物が物流センタ内の保管加工処理場へ搬送される。
なお、本実施形態では、コーヒーチェーン店を例にとって説明するが、これに限らず、テナント施設のように複数の排出者がそれぞれの排出物を排出する場合であってもよい。
【００２５】
まず、図１を参照して、本実施形態の排出物再資源化管理システム１の構成を説明する。
図１に示すように、本実施形態の排出物再資源化管理システム１は、システム全体を管理する管理装置（中央サーバ）１０と、各店舗Ａに配置された排出者端末２０及び計量装置２２と、保管加工処理場Ｂに配置された保管加工者端末３０及び計量装置３２と、店舗Ａから保管加工処理場Ｂまで容器６０を搬送する収集者が使用するための収集者端末４０と、を備えている。
【００２６】
管理装置１０、排出者端末２０、保管加工者端末３０、収集者端末４０は、サーバ装置又はパーソナルコンピュータで構成することができる。これらは、インターネット等の通信回線を介して通信可能に接続されている。
【００２７】
また、管理装置１０には、再資源物を購入する購入者が使用する購入者端末５０が通信回線を介して通信可能に接続されている。
さらに、管理装置１０には、排出物の流通を管理するためのモニタリング装置７０が通信回線を介して通信可能に接続されている。モニタリング装置７０は、排出物の流通が供給過多になったことを判定した場合に、行政機関８０へその旨を報告するように構成されている。
【００２８】
次に、本実施形態の排出物再資源化管理システム１の各構成要素について説明する。
図２を参照して、本実施形態の計量装置２２について説明する。
本実施形態では、計量装置２２は、排出者の各事業所（店舗Ａ）に設置されている。計量装置２２は、図２に示すように、排出物を収容する容器や袋を置いてその重量を計量する計量台２３と、計量台２３にアームを介して連結された操作部２４と、ＩＤカード投入口２５と、印字ラベルを印字出力する印字部２６と、計量装置２２の操作案内，計量された排出物の重量，種々の情報を表示すると共に、排出物に関する情報を入力できる液晶タッチパネル２７と、無線パケット通信網（図示せず）と接続したり、各種装置と通信するための各種アンテナを含む無線アンテナ２８と、計量台２３上に載置された排出物の体積を測定するためのパルスセンサ２９とを備えている。
【００２９】
計量装置２２では、操作部２４内に配置されたマイクロコンピュータと計量台２３により、計量台２３に載せられた排出物の重量を測定する重量測定手段が構成されている。
また、計量装置２２では、上記マイクロコンピュータと無線アンテナ２８により、無線パケット通信網を介して管理装置１０と通信したり、後述する容器６０に配置されたロック装置６６や温度・湿度センサ６７と通信したりする通信手段が構成されている。
また、計量装置２２では、上記マイクロコンピュータと無線アンテナ２８により、後述する容器６０の蓋体６３に配置されたＲＦＩＤタグ６０Ａと通信する読取手段が構成されている。
【００３０】
また、本実施形態では、計量装置３２は、保管加工処理場Ｂに設置されている。計量装置３２は、計量装置２２とほぼ同様の構成であるので説明を省略する。
【００３１】
次に、図３〜図５を参照して、本実施形態の容器６０について説明する。
図３に示すように、本実施形態では、容器６０は、排出物を収容するための容器本体６１と、容器本体６１の開口部を塞いで密封するように閉じる蓋体６３から構成されている。
容器本体６１は、外形が略立法体形状であり、折り畳み可能に構成されている。容器本体６１は、剛性を有する折り畳み可能な枠体６１ａ（例えば、スチールフレーム）と、枠体の上面を除いて側面及び底面を覆うシート状部材６１ｂで構成されている。したがって、容器本体６１は、不使用時には折り畳んで保管しておき、使用時に組み立てることができる。
【００３２】
容器本体６１内には、耐水性及び耐熱性を有すると共に、ある程度の可撓性を有する樹脂製の収容体６２が配置されている。この収容体６２は、容器本体６１内に配置したときに自立するが、一方、容器本体６１外では折り畳んで保管しておくことができるようにすり鉢形状に構成されている。また、収容体６２は、排出物又は再資源物を取り出すことが容易なように、少なくとも内面がテフロン（登録商標）加工されていることが望ましい。
【００３３】
蓋体６３は、容器本体６１の上部矩形状開口を塞ぐように構成されており、剛性を有する外形直方体形状の蓋本体６４と、蓋本体６４の裏面から下方に向かって延びる耐水性及び耐熱性を有する先細状に形成された円筒状の筒体６５と、蓋本体６４に取り付けられた無線操作可能なロック装置６６と、蓋本体６４に取り付けられた温度・湿度センサ６７と、蓋本体６４に組み込まれた混合装置６８とを有している。
【００３４】
また、蓋本体６４には、ＲＦＩＤタグ６０Ａが取り付けられている。ＲＦＩＤタグ６０Ａは、固有の識別番号を記憶したＩＣチップとアンテナを備えており、外部へ固有の識別番号を送信することができるように構成されている。
【００３５】
容器本体６１が蓋体６３によって閉じられたとき、筒体６５が収容体６２に水密的又は気密的に係合するように構成されている。よって、容器６０が転倒した場合であっても、収容体６２の内部から外部への液漏れを防止することができ、さらに、収容体６２に収容された排出物から異臭が発生した場合であっても、異臭が外部に漏れ出すことを防止することができる。
【００３６】
ロック装置６６は、外部からの無線電波によって作動するように構成されている。ロック装置６６は、施錠信号を受信することにより作動して、容器本体６１と係合してロック状態となり、開錠信号を受信することにより作動して、容器本体６１との係合が解除されてアンロック状態となる。ロック状態になると、蓋体６３を外して内部の排出物を取り出すことができなくなる。これにより、不法投棄を抑制することができる。また、施錠信号と開錠信号は一対のものであり、施錠信号に対応した開錠信号でないと、開錠することができないようになっている。
【００３７】
温度・湿度センサ６７は、蓋本体６４の裏面に配置されており、温度及び湿度を検出して、検出信号を計量装置２２へ送信するように構成されている。
【００３８】
混合装置６８は、再資源化処理機構として機能する。混合装置６８は、蓋本体６４の上面に配置された回転歯車６８ａと、回転歯車６８ａの中心部分から下方に延びる回転軸６８ｂと、回転軸６８ｂの下端付近に取り付けられた羽部材６８ｃと、回転歯車６８ａと噛合するように蓋本体６４の上面に配置された駆動歯車６８ｄとを備えている。
【００３９】
蓋本体６４の上面には略円形の凹部６４ａが形成されている。また、蓋本体６４の４つの側面には略矩形状の凹部６４ｂが設けられ、底部で凹部６４ａと繋がっている。
そして、凹部６４ａに回転歯車６８が回転可能に保持されている。凹部６４ａの中心部分には、下方に向けて貫通する貫通穴（図示せず）が設けられており、この貫通穴に回転軸６８ｂが回転可能に且つ水密的又は気密的に差し込まれている。
【００４０】
また、回転歯車６８ａは、凹部６４ａに配置されると、４箇所の凹部６４ｂから側方に向けて回転歯車６８ａの一部が突出するように寸法設定されている。したがって、容器６０を並べて配置したときには、隣り合う容器６０の回転歯車６８ａが互いに噛合するようになっている。
【００４１】
また、凹部６４ａに隣接して、蓋本体６４の上面には対向する２箇所に凹部６４ｃが形成されている。この凹部６４ｃに駆動歯車６８ｄが回転可能に配置されている。駆動歯車６８ｄは、隣接する回転歯車６８と噛合しており、駆動歯車６８ｄを回転させることにより、回転歯車６８を回転駆動することができる。
【００４２】
また、図４に示すように、回転軸６８ｂは、少なくとも下端側が中空に形成されており、この中空部６８ｅに添加剤を収容することができるようになっている。そして、中空部６８ｅに収容された添加剤は、回転軸６８ｂの回転により、下方へ徐々に供給されるようになっている。なお、添加剤の収容及び供給機構は、回転軸６８ｂの中空部６８ｅに限らず、蓋体６１の裏面等に適宜設けることができる。
【００４３】
次に、図３及び図４の容器６０を用いた再資源化処理について説明する。
本実施形態では、容器６０は、容器本体６１が蓋体６３により閉じられた状態で、内部に収容した排出物の再資源化処理を行うことができるように構成されている。したがって、一旦、排出物が容器６０に入れられると、容器６０を開封することなく排出物の再資源化処理を行うことができる。
【００４４】
後述するように、排出物が収容された容器６０は、ロック装置６６が作動することによってロック状態になる。そして、容器６０は、ロック状態で店舗Ａから保管加工処理場Ｂへと搬送される。
保管加工処理場Ｂでは、図５に示すように、複数の容器６０がパレット３４上に整列して配置される。この状態で、外部回転駆動装置の駆動歯車３７が、一つの容器６０の回転歯車６８ａに凹部６４ｂを介して噛合するように設置される。そして、外部回転駆動装置を作動させることにより、駆動歯車３７が回転し、これにより、容器６０の回転歯車６８ａが回転駆動される。また、隣り合う容器６０の回転歯車６８ａに回転駆動力が伝達され、パレット３４上のすべての容器６０で回転歯車６８ａが回転駆動される。
【００４５】
回転歯車６８ａが回転することにより、回転軸６８ｂに取り付けられている羽部材６８ｃが、収容体６２内部の排出物を混合する。また、このとき、回転軸６８ｂの中空部６８ｅから添加剤が排出物内へ供給される。このように、添加物と共に排出物を所定時間だけ混合することで、排出物をサイレージ化し、飼料や肥料を生成することができる。すなわち、排出物を再資源化して、再資源物（飼料、肥料）を生成することができる。
【００４６】
また、単一の容器６０の回転歯車６８ａを回転駆動する場合は、駆動歯車６８ｄの中央穴に上側から駆動ツールを差込み、駆動ツールにより駆動歯車６８ｄを回転させることで、回転歯車６８ａを回転駆動することができる。
【００４７】
次に、図６及び図７を参照して、第２の実施形態の容器１６０について説明する。
図６に示すように、容器１６０は、容器本体１６１及び蓋体１６３から構成されている。容器本体１６１は、容器６０の容器本体６１と同様の構成であるので説明を省略する。容器本体６１と容器本体１６１とは共通化されている。
【００４８】
蓋体１６３は、容器本体１６１の上部矩形状開口を塞ぐように構成されており、剛性を有する矩形の蓋本体１６４と、容器６０の筒体６５と同様の筒体１６５と、容器６０のロック装置６６と同様のロック装置１６６と、容器６０の温度・湿度センサ６７と同様の温度・湿度センサ１６７と、蓋本体１６４に設けられた再資源化処理機構としての過熱水蒸気用の導入部１６８Ａ及び導出部１６８Ｂとを有している。また、蓋本体１６４には、ＲＦＩＤタグ６０Ａと同様なＲＦＩＤタグ１６０Ａが取り付けられている。
【００４９】
図７に示すように、本実施形態の過熱水蒸気用の導入部１６８Ａ及び導出部１６８Ｂは、蓋本体１６４の側面から、筒体１６５を貫通して、内部に延びている。導入部１６８Ａは、外部の過熱水蒸気供給装置の供給口を連結することができるようになっている。また、導出部１６８Ｂに、過熱水蒸気を取り出すための排出装置を連結することができるようになっている。
【００５０】
なお、導入部１６８Ａ及び導出部１６８Ｂは、蓋本体１６４の対向する側面に限らず、同じ側面に設けても良いし、隣り合う側面に設けても良いし、上面に設けても良い。また、導入部１６８Ａ及び導出部１６８Ｂの数は、それぞれ１つに限らず任意である。
また、導入部１６８Ａ及び導出部１６８Ｂには、通常時には、これらの開口を水密的又は気密的に塞ぐためのカバーを設けても良い。カバーは外付け形式であっても良いし、蓋体１６３に組み込まれた形式であっても良い。
【００５１】
次に、図６及び図７の容器１６０を用いた再資源化処理について説明する。
まず、排出物を収容する容器１６０の導入部１６８Ａに過熱水蒸気供給装置を連結すると共に、導出部１６８Ｂに排出装置を連結する。次に、過熱水蒸気供給装置から、導入部１６８Ａを介して、容器１６０の内部へ過熱水蒸気を供給すると、所定時間経過後に、排出物であるコーヒー豆粕は炭化してコーヒー炭が生成される。また、コーヒー豆粕は油分を多く含んでおり、油分は過熱水蒸気によって気化し、過熱水蒸気と共に導出部１６８Ｂから排出装置へ向けて排出される。排出装置では、気化した油分が液化され、バイオディーゼル燃料（ＢＤＦ）が生成される。
【００５２】
このように、本実施形態の容器１６０では、過熱水蒸気により内部の排出物を処理することによって、コーヒー炭及びＢＤＦを生成することができる。すなわち、排出物を再資源化して、再資源物（コーヒー炭及びＢＤＦ）を生成することができる。
【００５３】
次に、本実施形態の排出物再資源化管理システム１の作用について説明する。
以下、購入者が再資源物の購入申し込みをした場合について、排出物が排出者によって排出され、排出物が収集者によって店舗Ａから保管加工処理場Ｂへ搬送され、保管加工処理場Ｂで排出物が再資源化されて再資源物が生成され、生成された再資源物が購入者へ渡されるまでの処理データと排出物及び再資源物の流れについて説明する。
【００５４】
購入者は、購入者端末５０を用いて通信回線を介して管理装置１０のウェブページにアクセスし、このウェブページで所望の再資源物を購入するために、購入情報ａを管理装置１０へ送信することができる。購入情報ａには、購入者、再資源物の品目及び量に関するデータが含まれる。
【００５５】
管理装置１０は、この購入情報ａを受信しデータベースに記憶する。このとき、管理装置１０は、購入情報ａのステータスを「購入未確定」に設定し、購入者毎に又は購入情報毎に、購入情報のステータスをウェブページに表示する。購入者は、管理装置１０のウェブページへアクセスすることにより、購入情報ａについてのステータスを確認することができる。
【００５６】
管理装置１０は、購入情報ａを受信すると、各店舗に配備されている排出者の計量装置２２へ購入情報ａを送信する。計量装置２２は、購入情報ａを管理装置１０から受信すると、これを内部メモリに記憶する。
【００５７】
店舗Ａでは、排出者は、計量装置２２を用いて排出物の計量を以下のようにして行う。
まず、排出者は、計量装置２２の液晶タッチパネル２７に操作画面を表示させる。計量装置２２は、操作画面に１つ又は複数の購入情報ａを表示させる。排出者は、表示された購入情報ａの一つを選択して、これから計量する排出物の販売を予約することができる。これにより、計量装置２２は、管理装置１０へ、当該購入情報ａの予約情報を送信する。予約情報により、排出者と当該購入情報ａが指定される。管理装置１０は、予約情報を受信すると、当該購入情報ａのステータスを所定時間だけ「予約」に設定する。
【００５８】
排出者は、購入情報ａの予約処理を行うと、購入情報ａに適合した蓋体６３又は蓋体１６３を選択して容器本体６１又は容器本体１６１を閉じて、計量装置２２の計量台２３上に載置する。例えば、購入情報ａの再資源物の品目が飼料である場合は蓋体６３を選択し、再資源物の品目がコーヒー炭である場合は蓋体１６３を選択する。以下では、蓋体６３が選択されたものとする。
【００５９】
そして、排出者は、計量装置２２の液晶タッチパネル２７を用いて、排出者、排出物の品目に関するデータを入力する。また、排出者に関するデータは、このデータを記憶するＩＤカードをＩＤカード投入口２５に投入することで、計量装置２２がＩＤカードから排出者に関するデータを読み取るように構成してもよい。
【００６０】
必要なデータを入力後、排出者は、操作画面上の排出時用の計量開始ボタンを画面上で押下する。これにより、計量装置２２は、計量を開始し、容器６０の重量を測定し、容器６０の体積をパルスセンサ２９で測定し、蓋体６３の温度・湿度センサ６７から温度・湿度データを取得し、蓋体６３に配備されたＲＦＩＤタグ６０Ａから固有の識別番号を受信する。なお、計量装置２２が出力する排出物の重量データは、容器６０の重量を含んだ重量であってもよいし、容器６０の重量を差し引いた排出物のみの重量であってもよい。
【００６１】
計量装置２２は、取得したデータに基づいて排出物情報ｂを作成し、排出物情報ｂを内部メモリに記憶すると共に管理装置１０へ送信する。排出物情報ｂには、識別番号、排出者、計量日時、排出物品目、重量、体積、品質（温度、湿度）に関するデータが含まれる。計量日時は、計量を実行した時間データである。
また、計量装置２２は、排出物情報ｂを含む印字ラベルを印字部２６から印字出力する。排出者は、この印字ラベルを容器６０へ貼付することができる。
【００６２】
管理装置１０は、計量装置２２から排出物情報ｂを受信するとデータベースに記憶し、予約されていた購入情報ａに、受信した排出物情報ｂを関連付け、購入情報ａにより排出物（処理後の再資源物）を購入するための権利を確定させる。これにより、管理装置１０は、当該購入情報ａのステータスを「購入確定」に設定する。これにより、排出物は購入者の所有となり、これ以降の処理では有価物として取り扱うことができる。また、購入が確定した段階で、ステータスと共に、再資源化して購入者まで引き渡すまでの時間を知らせるようにしてもよい。引渡しまでに要する時間は、搬送、再資源化処理等に必要な時間を品目ごとに設定したデータベースに基づいて、管理装置１０が算出するように構成することができる。
【００６３】
なお、管理装置１０は、再資源品目とその原料となる排出物品目とを関連付けた関連付けデータベースを記憶しており、排出物情報ｂの排出物品目と購入情報ａの再資源物品目とが関連付けデータベースに適合していることを判定するように構成してもよい。この場合、排出物品目が再資源物品目に適合しているときは、ステータスを「予約」から「購入確定」に変更し、一方、排出物品目が再資源物品目に適合していないときは、予約を取り消すように構成することができる。
【００６４】
なお、上記実施形態では、購入情報ａを予約するために、計量装置２２から管理装置１０へ予約情報が送信されているが、これに限らず、予約情報を送信しない構成としてもよい。この場合、計量装置２２では購入情報ａを選択することなく、計量装置２２は、排出物の計量を実行後に、排出物情報ｂを管理装置１０へ送信する。そして、管理装置１０は、上記関連付けデータベースに基づいて、データベースに記憶した１つ又は複数の購入情報ａの中から適切な購入情報ａを、受信した排出物情報ｂに対して選択して、排出物情報ｂに関連付けるように構成することができる。これにより、ステータスは、「購入未確定」から「購入確定」に変更される。
【００６５】
管理装置１０は、購入情報ａについての購入を確定すると、確定情報ｃを作成し、購入情報ａに関連付けてデータベースに記憶すると共に、確定情報ｃを計量装置２２へ送信する。確定情報ｃには、識別番号、施錠信号に関するデータが含まれる。施錠信号は、管理装置１０によって作成される。識別番号は、排出物情報ｂから取得される。
計量装置２２は、管理装置１０から、確定情報ｃを受信すると、計量台２３に載置されている容器６０の識別番号と、確定情報ｃが含む識別番号が一致することを条件に、確定情報ｃが含む施錠信号を蓋体６３のロック装置６６へ送信して、ロック装置６６を作動させる。これにより、容器６０はロック状態になる。
【００６６】
また、管理装置１０は、購入情報ａについての購入を確定すると、この購入情報ａに関連付けられた排出物情報ｂが含む識別番号、排出者、排出物品目、重量等に関するデータに基づいて、店舗Ａ（排出者）から容器６０を回収するために、回収情報ｄを作成し、収集者端末４０へ送信する。回収情報ｄには、識別番号、排出者、排出物品目、重量に関するデータが含まれる。これにより、管理装置１０は、ステータスを「保管加工処理場へ搬送中」に設定する。
【００６７】
収集者端末４０は、管理装置１０から回収情報ｄを受信すると、収集者は、回収情報ｄに基づいて、配送便の戻り便で当該容器６０を排出者（店舗）から回収して、物流センタ内の保管加工処理場Ｂへ搬送する。
【００６８】
保管加工処理場Ｂの搬入ゲート３５には、ＲＦＩＤタグ読取装置３６が配備されている。このＲＦＩＤタグ読取装置３６は、通信機能を有し、通信回線を介して管理装置１０と通信可能に構成されている。また、ＲＦＩＤタグ読取装置３６は、保管加工者端末３０を介して、管理装置１０へデータを送信可能に構成してもよい。
搬送されてきた容器６０が保管加工処理場の搬入ゲート３５を通過すると、ＲＦＩＤタグ読取装置３６が、容器６０のＲＦＩＤタグ６０Ａの識別番号を読み取り、チェックイン情報ｅとして、識別番号を管理装置１０へ送信する。
【００６９】
管理装置１０は、ＲＦＩＤタグ読取装置３６からチェックイン情報ｅを受信すると、チェックイン情報ｅが含む識別番号を有する容器６０が保管加工処理場に到着したことを認識する。管理装置１０は、当該識別番号に関連付けられた購入情報ａのステータスを「保管加工処理中」に設定する。
【００７０】
また、管理装置１０は、識別番号に基づいて、排出物情報ｂ及びこれが関連付けられた購入情報ａから、排出物品目及び再資源物品目を特定すると共に、再資源物の加工期限を算出する。管理装置１０は、例えば、排出物品目から再資源物品目を生成するのに必要な日数と所定のマージンの日数をデータベースとして有しており、このデータベースと、排出物情報ｂの排出物品目及び購入情報ａの再資源物品目から、必要な日数を算出し、排出物情報ｂの計量日時に加算することで、加工期限日時を算出することができる。
【００７１】
また、管理装置１０は、搬入された容器６０に対して行う処理等を指示するための処理情報ｆを作成し、データベースに記憶すると共に、保管加工者端末３０へ送信する。処理情報ｆには、識別番号、処理内容、排出物の品目、再資源物の品目、加工期限に関するデータが含まれる。処理内容は、排出物品目と再資源物品目の組み合わせから、管理装置１０が内部メモリに記憶するデータベースに基づいて選択したデータである。処理内容は、例えば、外部回転駆動装置や過熱水蒸気供給装置を用いた再資源化処理である。
なお、確定情報ｃを送信することによって、管理装置１０が所定のタイミングで処理情報ｆを自動的に送信するように構成してもよい。
【００７２】
保管加工者端末３０は、処理情報ｆを管理装置１０から受信する。保管加工者は、処理情報ｆに基づいて処理内容を実行する。ここでの処理は、外部回転駆動装置を用いて、容器６０の混合装置６８を作動させることである。
【００７３】
保管加工者は、処理情報ｆに基づいて処理を行った後、容器６０を計量装置３２で計量する。この場合、保管加工者は、計量者として保管加工者を特定し、容器６０を計量台に載置した後、加工終了用の計量開始ボタンを画面上で押下する。
【００７４】
これにより、計量装置３２は、計量を開始し、容器６０の重量を測定し、蓋体６３に配備されたＲＦＩＤタグ６０Ａから固有の識別番号を受信する。
計量装置３２は、取得したデータに基づいて計量情報ｇを作成し、計量情報ｇを管理装置１０へ送信する。計量情報ｇには、識別番号、重量、計量日時に関するデータが含まれる。
【００７５】
管理装置１０は、計量装置３２から、計量情報ｇを受信すると、計量情報ｇが含む識別番号に基づいて、該当する排出物情報ｂ、処理情報ｆをデータベース内で検索して特定し、特定された排出物情報ｂ、処理情報ｆを計量情報ｇに対応させ関連付ける。これにより、管理装置１０は、ステータスを「保管加工処理終了」に設定する。
【００７６】
管理装置１０は、対応させた排出物情報ｂ、処理情報ｆ、計量情報ｇを用いて、排出物品目、再資源物品目、加工期限、処理内容を特定して、所定の条件に基づいて、容器６０内で生成された再資源物の加工品質が良品であるか否かを判定し、品質判定情報ｈを作成し、データベースに記憶すると共に、計量装置３２へ送信する。所定の条件は、例えば、排出物情報ｂの重量と計量情報ｇの重量とが所定の変動範囲内にあること、計量情報ｇの計量日時が処理情報ｆの加工期限以内であること等である。重量変動範囲は、排出物と再資源物の組み合わせに応じて設定することができる。そして、重量変動が所定の変動範囲内であり、且つ、再計量日時が加工期限以内であれば、判定結果（品質レベル）は良好なレベルに設定され、いずれか一方又は双方が変動範囲又は加工期限を超えていれば、その程度に応じて判定結果は良好なレベルよりも低いレベルに設定される。
【００７７】
品質判定情報ｈには、品質レベル、開錠信号に関するデータが含まれる。品質レベルは、上記判定結果を示すものである。また、開錠信号は、確定情報ｃが含む施錠信号に対応して管理装置１０により作成されたものである。
【００７８】
計量装置３２は、管理装置１０から、品質判定情報ｈを受信すると、計量台に載置されている容器６０の識別番号と、品質判定情報ｈが含む識別番号が一致することを条件に、品質判定情報ｈが含む開錠信号を蓋体６３のロック装置６６へ送信して、ロック装置６６を作動させる。これにより、容器６０はアンロック状態になる。
また、計量装置３２は、品質判定情報ｈの品質レベルに基づいて、操作画面上に、再資源物の加工品質の程度を表示する。これは、例えば、品質レベルに関するデータに基づいて、「良好」、「品質を確認して下さい」等が表示される。
【００７９】
また、管理装置１０は、品質判定情報ｈを送信すると、排出物情報ｂに関連付けられた購入情報ａ等に基づいて、搬出情報ｉを作成し、データベースに記憶すると共に、保管加工者端末３０へ送信する。搬出情報ｉには、識別番号、購入者、再資源物の品目及び量に関するデータが含まれる。
なお、本実施形態では、品質判定情報ｈの送信後に搬出情報ｉを送信しているが、これに限らず、搬出情報ｉを処理情報ｆと同時又は所定のタイミングで送信するように構成してもよい。
【００８０】
保管加工者端末３０は、管理装置１０から搬出情報ｉを受信する。保管加工者は、搬出情報ｉに基づいて、識別番号から容器６０を特定し、容器６０内の再資源物を購入者へ搬出する。容器６０を特定するには、例えば、ＲＦＩＤタグの携帯式読取装置を用いてもよいし、貼付された印字ラベルで確認してもよい。
【００８１】
購入者は、管理装置１０のウェブページにアクセスして、常時、購入した再資源物のステータスを確認することができる。そして、購入者は、再資源物を受け取り、排出者（店舗Ａ）へ代金を支払う。購入者が再資源物を受け取る方法は、購入者が保管加工処理場Ｂで直接受け取るようにしても良いし、保管加工処理場Ｂから購入者宛へ送付しても良いし、配送便で店舗Ａへ配送された再資源物を店舗で受け取るようにしても良い。
【００８２】
次に、モニタリング装置７０による総量規制について説明する。
本実施形態では、管理装置１０は、購入情報ａ、排出物情報ｂ、確定情報ｃを定期的にモニタリング装置７０へ送信する。これにより、モニタリング装置７０は、排出物の量（供給量）と再資源物の量（需要量）の需給バランスが適切であるか否かを判定する。
【００８３】
すなわち、各排出物品目について、排出物情報ｂの排出物の総重量に対して、再資源物の生成に使用される排出物の総重量が少ない場合は、両者の差が排出物の余剰量となり、この余剰量が不法投棄を誘発するおそれがある。このため、モニタリング装置７０は、需給バランスをモニターすることで、排出物の排出量が再資源物の購入量を上回ったと判定したときに、その旨の判定結果を行政機関８０へ送信する。具体的には、モニタリング装置７０は、ある一定期間中の排出物情報ｂから排出物の総重量を算出すると共に、購入情報ａから再資源物に使用される排出物の総重量を算出し、これらを比較して、前者が後者よりも所定重量以上大きい場合に、所定の信号を行政機関８０へ送信する。このように、本実施形態では、需給バランスをモニターすることにより、排出物が不法投棄されないことを担保している。
【００８４】
また、本実施形態では、排出物を収容した容器６０を計量装置２２で計量すると、管理装置１０から確定情報ｃが送信されることにより、容器６０をロック状態にすることができ、内部の排出物を外部へ取り出すことができなくなる（店舗Ａ）。そして、その容器６０内での再資源化処理後に、容器６０を再計量すると、管理装置１０から品質判定情報ｈが送信されることにより、容器６０をアンロック状態にすることができ、内部の再資源物を外部へ取り出すことができる（保管加工処理場Ｂ）。
【００８５】
このように、本実施形態では、排出物の購入が確定すると、再資源化処理が終了するまでは容器６０内の排出物を取り出すことができないので、排出物の不法投棄を防止することができる。
【符号の説明】
【００８６】
１    排出物再資源化管理システム
１０    管理装置
２０    排出者端末
２２    計量装置（第１の計量装置）
３０    保管加工者端末
３２    計量装置（第２の計量装置）
３４    パレット
３５    搬入ゲート
３６    ＲＦＩＤタグ読取装置
３７    駆動歯車
４０    収集者端末
５０    購入者端末
５１    容器本体
６０Ａ、１６０Ａ  ＲＦＩＤタグ
６０、１６０  容器
６１、１６１  容器本体
６１ａ  枠体
６１ｂ  シート状部材
６２    収容体
６３、１６３  蓋体
６４、１６４  蓋本体
６５、１６５  筒体
６６、１６６  ロック装置
６７、１６７  温度・湿度センサ
６８  混合装置（再資源化処理機構）
１６８Ａ  導入部（再資源化処理機構）
１６８Ｂ  導出部（再資源化処理機構）
【図１】
0005666189.tif 000002
【図２】
0005666189.tif 000003
【図３】
0005666189.tif 000004
【図４】
0005666189.tif 000005
【図５】
0005666189.tif 000006
【図６】
0005666189.tif 000007
【図７】
0005666189.tif 000008